(57)【特許請求の範囲】
【請求項１】
吸気口、第一の吹出口、第二の吹出口を有する本体ケースと、この本体ケース内に設けたヒータ、ロータ、熱交換器、結露水容器とを備え、前記ロータは放湿部と吸湿部とを有し、前記熱交換器は熱交換風通路と加湿風通路とを有し、前記結露水容器は前記熱交換器の加湿風通路に連結した構成にするとともに、前記本体ケース内には、前記吸気口から第一の吹出口に向けてヒータ、ロータの放湿部、熱交換器の加湿風通路を経由する第一の送風路と、前記吸気口から第二の吹出口に向けて熱交換器の熱交換風通路を経由する第二の送風路と、前記吸気口から第二の吹出口に向けてロータの吸湿部を経由する第三の送風路とを、設けた除湿機。
【請求項２】
第一の送風路の吸気口とヒータ間に、第一の送風機を設けた請求項１に記載の除湿機。
【請求項３】
第二の送風路の、熱交換器の熱交換風通路と、第二の吹出口との間に、第二の送風機を設けた請求項１または２に記載の除湿機。
【請求項４】
第三の送風路の、ロータの吸湿部と、第二の吹出口との間に、第三の送風機を設けた請求項１から３のいずれか一つに記載の除湿機。
【請求項５】
第二の送風機と、第三の送風機を兼用した請求項４に記載の除湿機。
【請求項６】
第二の送風機は、第一の送風機よりも送風量を大きくした請求項５に記載の除湿機。
【請求項７】
本体ケースの外周面に、吸気口と、第一の吹出口を設け、この本体ケースの上面に、第二の吹出口を設けた請求項１から６のいずれか一つに記載の除湿機。
【請求項８】
本体ケースの背面に、吸気口を設けるとともに、この本体ケースの前面に、第一の吹出口を設け、この本体ケースの上面に、第二の吹出口を設けた請求項７に記載の除湿機。
【請求項９】
吸気口から第二の吹出口に向けてヒータ、ロータの放湿部を経由する第四の送風路を設け、前記第一の送風路と第四の送風路は選択的に形成する構成とした請求項１から８のいずれか一つに記載の除湿機。
【請求項１０】
第一の送風路の、ロータの放湿部と、熱交換器の加湿風通路との間に、風路変更手段を設けた請求項９に記載の除湿機。
【請求項１１】
風路変更手段はダンパーにて構成した請求項１０に記載の除湿機。
【請求項１２】
吸気口は、第一の吸気口と、第二の吸気口により構成し、前記第一の吸気口は第一の送風路に連結し、前記第二の吸気口は、第二、第三の送風路に連結した請求項１から１１のいずれか一つに記載の除湿機。
【請求項１３】
第二の吸気口の一部を第一の吸気口とした請求項１２に記載の除湿機。
【請求項１４】
第二の吹出口には、本体ケースの背面側への送風ガイドを設けた請求項７から１３のいずれか一つに記載の除湿機。
【請求項１５】
本体ケース内の下方に結露水容器を配置し、この本体ケース内の中程に第一の送風機と熱交換器を配置し、この本体ケース内の上方にヒータと第二の送風機を配置し、この本体ケース内の中程から上方にかけてロータを配置した請求項２から１４のいずれか一つに記載の除湿機。
【発明の詳細な説明】
【技術分野】
【０００１】
本発明は、例えば室内における除湿を行う除湿機に関するものである。
【背景技術】
【０００２】
従来のこの種、除湿機の構成は、下記のようなものとなっていた。
【０００３】
すなわち、吸気口、吹出口を有する本体ケースと、この本体ケース内に設けたヒータ、ロータ、熱交換器、結露水容器とを備え、前記ロータは放湿部と吸湿部とを有し、前記熱交換器は熱交換風通路と加湿風通路とを有し、前記結露水容器は前記熱交換器の加湿風通路に連結されていた。
【０００４】
また、前記本体ケース内には、前記吸気口から吹出口に向けて熱交換器の熱交換風通路、ロータの吸湿部を経由する送風経路と、ヒータ、ロータの放湿部、熱交換器の加湿風通路を経由する環状の除湿経路とを、設けていた。
【０００５】
すなわち、上記従来の除湿機の送風経路では、本体ケースの吸気口から吸込んだ室内空気を、熱交換器の熱交換風通路、ロータの吸湿部を順次通過させ、吹出口から本体ケース外に吹出している。
【０００６】
この時、室内空気が熱交換器の熱交換風通路を通過する時に、後述のごとく熱交換器の加湿風通路を通過する高温の加湿空気を冷却し、次にロータの吸湿部を通過する時に、吸湿されるので、乾燥した空気が室内に吹出されることになる。
【０００７】
また、除湿経路においては、この除湿経路内空気が、先ずヒータで加熱され、次にロータの放湿部を通過することで、高温の加湿空気となり、その後熱交換器の加湿風通路を通過することにより上述のごとく熱交換器の熱交換風通路を通過する室内空気で冷却され、この時に発生する結露水が結露水容器に集められ、廃棄されるようになっていた（例えば特許文献１参照）。
【先行技術文献】
【特許文献】
【０００８】
【特許文献１】特開２００９−１３１７８６号公報
【発明の概要】
【発明が解決しようとする課題】
【０００９】
上記従来例で課題となるのは、湿度が低い季節、例えば冬季において、室内で洗濯物を乾燥させようとした時の快適性が低くなる、と言うことであった。
【００１０】
すなわち、従来の除湿機においては、上述のごとく、乾燥した空気が吹出口から室内に吹出されるようになっているので、この乾燥した空気を室内干しの洗濯物に吹きつけることで、それを乾燥させるものであるが、例えば冬季においては室内の湿度が十分に低い状態であるので、洗濯物の乾燥のためとは言え、室内をさらに乾燥状態にすることは好まれぬことも多く、時として加湿器が併用される場合もある。
【００１１】
そこで本発明は、快適性を向上させることを目的とするものである。
【課題を解決するための手段】
【００１２】
そして、この目的を達成するために本発明は、吸気口、第一の吹出口、第二の吹出口を有する本体ケースと、この本体ケース内に設けたヒータ、ロータ、熱交換器、結露水容器とを備え、前記ロータは放湿部と吸湿部とを有し、前記熱交換器は熱交換風通路と加湿風通路とを有し、前記結露水容器は前記熱交換器の加湿風通路に連結した構成にするとともに、前記本体ケース内には、前記吸気口から第一の吹出口に向けてヒータ、ロータの放湿部、熱交換器の加湿風通路を経由する第一の送風路と、前記吸気口から第二の吹出口に向けて熱交換器の熱交換風通路を経由する第二の送風路と、前記吸気口から第二の吹出口に向けてロータの吸湿部を経由する第三の送風路とを設け、これにより初期の目的を達成するものである。
【発明の効果】
【００１３】
以上のように、本発明は吸気口、第一の吹出口、第二の吹出口を有する本体ケースと、この本体ケース内に設けたヒータ、ロータ、熱交換器、結露水容器とを備え、前記ロータは放湿部と吸湿部とを有し、前記熱交換器は熱交換風通路と加湿風通路とを有し、前記結露水容器は前記熱交換器の加湿風通路に連結した構成にするとともに、前記本体ケース内には、前記吸気口から第一の吹出口に向けてヒータ、ロータの放湿部、熱交換器の加湿風通路を経由する第一の送風路と、前記吸気口から第二の吹出口に向けて熱交換器の熱交換風通路を経由する第二の送風路と、前記吸気口から第二の吹出口に向けてロータの吸湿部を経由する第三の送風路とを、設けたものであるので、快適性を向上することができる。
【００１４】
すなわち、本発明においては、前記本体ケース内に設けた第一の送風路では、前記吸気口から吸込んだ室内空気を、先ずヒータで加熱し、次にロータの放湿部を通過させることで、ロータの放湿部から湿気を放出させ、その後、熱交換器の加湿風通路を経由して第一の吹出口から本体ケース外に吹出させる。
【００１５】
一方、前記本体ケース内に設けた第二の送風路では、前記吸気口から吸込んだ室内空気を、熱交換器の熱交換風通路を経由し、第二の吹出口から本体ケース外に吹出させる。
【００１６】
この時、熱交換器の加湿風通路には、第一の送風路の、高温で、加湿状態の室内空気が流れており、またこの熱交換器の熱交換風通路には、第二の送風路の、低温で、非加湿状態の室内空気が流れているので、前記熱交換器の加湿風通路では結露が発生し、その結露水は結露水容器に集められる。また、このように熱交換器の加湿風通路で結露による除湿が行われたとは言え、第一の送風路を流れる室内空気は、高温で、加湿状態であったので、まだ湿気を含んだ状態となっており、この結果として、これが第一の吹出口から吹出されれば、室内で過乾燥状態を引き起こすことは無く（つまり適度の加湿作用の結果）、快適性を高めることができるものである。
【００１７】
これに対して、第三の送風路においては、前記吸気口から本体ケース内に吸込んだ室内空気を、ロータの吸湿部を通過させることで乾燥させ、これを第二の吹出口から本体ケース外に吹出す構成となっているので、この第二の吹出口から本体ケース外に吹出される乾燥空気を洗濯物に吹付ければ、室内干しの洗濯物は効果的に乾燥させることもできる。
【００１８】
つまり、本発明においては、室内干しの洗濯物を効果的に乾燥させるだけでなく、この乾燥時でも適度の室内湿度を保つことができるので、快適性も高めることができるものである。
【図面の簡単な説明】
【００１９】
【図１】本発明の一実施形態における除湿機の使用状態を示す斜視図
【図２】同背面側の透視背面図
【図３】同背面側の透視斜視図
【図４】同背面側の透視斜視図
【図５】同側面断面図
【図６】同動作状態を示す模式図
【図７】同側面断面図
【図８】同動作状態を示す模式図
【発明を実施するための形態】
【００２０】
以下、本発明の一実施の形態を、を、添付図面を用いて説明する。
【００２１】
（実施の形態）
図１において、１は除湿機の本体ケースで、この例では室内の窓２側に洗濯物３を干し、本体ケース１の背面側に吹出される乾燥空気で洗濯物３を乾燥させ、また室内には本体ケース１の前面側から高湿空気を吹出すことで、過乾燥状態を回避するようにしている。
【００２２】
本体ケース１は上下方向に直方体形状をしており、本体ケース１の外周面、具体的には本体ケース１の背面には、図２〜図５に示すように、吸気口４を設けており、またこの本体ケース１の前面下方には、図１の高湿空気を吹出す吹出口５を設けている。
【００２３】
さらに、この本体ケース１の上面には、図１の乾燥空気を吹出す吹出口６を設けており、この吹出口６には、本体ケース１の背面側へ乾燥空気を吹出す送風ガイド７を設けている。
【００２４】
また、本体ケース１内には、ヒータ８、ロータ９、熱交換器１０、結露水容器１１、送風機１２，１３とを、設けている。
【００２５】
具体的には、本体ケース１内の下方に結露水容器１１を配置し、この本体ケース１内の中程に送風機１２と熱交換器１０を配置し、この本体ケース１内の中程から上方にかけてヒータ８と送風機１３とロータ９を配置している。
【００２６】
また、前記ロータ９は回転するもので、その上方が放湿部９ａ、下方が吸湿部９ｂとなっており、このうち、放湿部９ａにはヒータ８が対向して配置されている。
【００２７】
さらに、前記熱交換器１０は、熱交換風通路と、加湿風通路とを有し、これらの熱交換風通路と、加湿風通路間では、壁面を介して空気流が対向して流れ、それによって熱交換が行われるようになっている。そして、この熱交換によって加湿風通路に生じた結露水は、前記熱交換器１０の加湿風通路に連結した結露水容器１１内に溜められるようになっている。なお、熱交換器１０の熱交換風通路と、加湿風通路は、上述のごとく壁面を介して対向している周知の構造であり、符号を付す部分が同じ部分となるので、図面の煩雑化を避けるため、これら両者には、符号は付していない。
【００２８】
以上の構成において、本体ケース１内には、図４、図５の矢印からも理解されるように第一の送風路Ａ、第二の送風路Ｂ、第三の送風路Ｃが形成されている。
【００２９】
この内、第一の送風路Ａは、前記吸気口４から吹出口５に向けて、吸気口４、送風機１２、ヒータ８、ロータ９の放湿部９ａ、熱交換器１０の加湿風通路、吹出口５に至る送風路となっている。
【００３０】
また、第二の送風路Ｂは、前記吸気口４から吹出口６に向けて、吸気口４、熱交換器１０の熱交換風通路、吹出口６に至る送風路となっている。
【００３１】
さらに、第三の送風路Ｃは、前記吸気口４から吹出口６に向けて、吸気口４、ロータ９の吸湿部９ｂ、送風機１３、吹出口６に至る送風路となっている。
【００３２】
なお、この実施形態では、第二、第三の送風路Ｂ、Ｃにおける送風は、一つの送風機１３で兼用しており、この送風機１３は、送風機１２よりも送風量を大きくしている。
【００３３】
また、第一〜第三の送風路Ａ、Ｂ、Ｃは、何れも空気の吸引を吸気口４から行うようにしているが、第一の送風路Ａは送風量が少ないので、吸気口４の一部を利用しており、また第二、第三の送風路Ｂ、Ｃは送風量が多いので、吸気口４の大部分を利用している。
【００３４】
図１のごとく、室内の窓２側に洗濯物３を干し、本体ケース１の背面側に吹出される乾燥空気で洗濯物３を乾燥させる場合には、送風機１２，１３を回転駆動し、ヒータ８に通電し、ロータ９を回転駆動する。
【００３５】
すると、第一の送風路Ａでは、前記吸気口４から吹出口５に向けて、吸気口４、送風機１２、ヒータ８、ロータ９の放湿部９ａ、熱交換器１０の加湿風通路、吹出口５に至る送風が行われる。
【００３６】
つまり、室内の空気が吸気口４から吸込まれ、ヒータ８で加熱され、次にロータ９の放湿部９ａを通過することで、ロータ９の放湿部９ａから湿気が放出され、その後、熱交換器１０の加湿風通路を経由して吹出口５から本体ケース１外に、吹出される。
【００３７】
一方、第二の送風路Ｂでは、室内の空気が、前記吸気口４から吸込まれ、熱交換器１０の熱交換風通路、送風機１３を経由し、吹出口６から本体ケース１外に吹出させる。
【００３８】
この時、熱交換器１０の加湿風通路には、第一の送風路Ａの、高温で、加湿状態の室内空気が流れており、またこの熱交換器１０の熱交換風通路には、第二の送風路Ｂの、低温で、非加湿状態の室内空気が流れているので、前記熱交換器１０の加湿風通路では結露が発生し、その結露水は結露水容器１１に集められる。
【００３９】
また、このように熱交換器１０の加湿風通路で結露による除湿が行われたとは言え、第一の送風路Ａを流れる室内空気は、高温で、加湿状態であったので、まだ湿気を含んだ状態となっており、この結果として、これが吹出口５から吹出されれば、室内で過乾燥状態を引き起こすことは無く（つまり適度の加湿作用の結果）、快適性を高めることができるものである。つまり、これが、図１の本体ケース１の前面側から高湿空気で、室内の過乾燥状態を回避するものである。
【００４０】
これに対して、第三の送風路Ｃにおいては、前記吸気口４から本体ケース１内に吸込んだ室内空気を、ロータ９の吸湿部９ｂを通過させることで乾燥させ、これを、送風機１３を介して吹出口６から本体ケース１外に吹出す構成となっているので、この吹出口６から本体ケース１外に吹出される乾燥空気を図１のごとく、洗濯物３に吹付ければ、室内干しの洗濯物３は効果的に乾燥させることができる。
【００４１】
つまり、本実施形態においては、室内干しの洗濯物３を効果的に乾燥させるだけでなく、この乾燥時でも適度の室内湿度を保つことができるので、快適性も高めることができるものである。
【００４２】
図６は、以上の動作の理解を助けるために、その構成を模式的に示したものであるが、この図６を簡略化するために、ロータ９の放湿部９ａ、吸湿部９ｂを、上下を反対に記載している（実際は図４、図５のごとくロータ９の放湿部９ａが上、吸湿部９ｂが下）。
【００４３】
図７、図８は本実施形態の他の使用方法を示したものである。
【００４４】
この図７、図８では、第一の送風路Ａの送風路を、第四の送風路Ｄに変更したものである。
【００４５】
つまり、第一の送風路Ａ内において、ロータ９の放湿部９ａと、熱交換器１０の加湿風通路との間に、風路変更手段として図８のごとくダンパー１４を設けたものである。
【００４６】
つまり、ダンパー１４は図１〜図６に示した洗濯物３の乾燥時には、図３のごとく閉じ、これによりロータ９の放湿部９ａを通過した高温で、加湿状態の室内空気は、熱交換器１０の加湿風通路へと進むようになっていたが、図８のごとくダンパー１４を開ければ、ロータ９の放湿部９ａを通過した高温で、加湿状態の室内空気は送風機１３を介して吹出口６へと進むことになるのである（熱交換器１０の加湿風通路は風路抵抗が高いので、そこには送風されず、よって吹出口５からの送風はとまった状態となっている）。
【００４７】
この時には、吹出口６から高温で、加湿状態の室内空気が吹出されるので、図１の洗濯物３に代えて、例えばしわの付いた上着が掛けられており、これに高温で、加湿状態の室内空気が吹付けることで、しわ取りを行うようにしているのである。
【００４８】
なお、図８も、以上の動作の理解を助けるために、その構成を模式的に示したものであり、この図８を簡略化するために、ロータ９の放湿部９ａ、吸湿部９ｂを、上下を反対に記載している（実際は図７のごとくロータ９の放湿部９ａが上、吸湿部９ｂが下）。
【産業上の利用可能性】
【００４９】
以上のように、本発明は吸気口、第一の吹出口、第二の吹出口を有する本体ケースと、この本体ケース内に設けたヒータ、ロータ、熱交換器、結露水容器とを備え、前記ロータは放湿部と吸湿部とを有し、前記熱交換器は熱交換風通路と加湿風通路とを有し、前記結露水容器は前記熱交換器の加湿風通路に連結した構成にするとともに、前記本体ケース内には、前記吸気口から第一の吹出口に向けてヒータ、ロータの放湿部、熱交換器の加湿風通路を経由する第一の送風路と、前記吸気口から第二の吹出口に向けて熱交換器の熱交換風通路を経由する第二の送風路と、前記吸気口から第二の吹出口に向けてロータの吸湿部を経由する第三の送風路とを、設けたものであるので、快適性を向上することができる。
【００５０】
すなわち、本発明においては、前記本体ケース内に設けた第一の送風路では、前記吸気口から吸込んだ室内空気を、先ずヒータで加熱し、次にロータの放湿部を通過させることで、ロータの放湿部から湿気を放出させ、その後、熱交換器の加湿風通路を経由して第一の吹出口から本体ケース外に吹出させる。
【００５１】
一方、前記本体ケース内に設けた第二の送風路では、前記吸気口から吸込んだ室内空気を、熱交換器の熱交換風通路を経由し、第二の吹出口から本体ケース外に吹出させる。
【００５２】
この時、熱交換器の加湿風通路には、第一の送風路の、高温で、加湿状態の室内空気が流れており、またこの熱交換器の熱交換風通路には、第二の送風路の、低温で、非加湿状態の室内空気が流れているので、前記熱交換器の加湿風通路では結露が発生し、その結露水は結露水容器に集められる。また、このように熱交換器の加湿風通路で結露による除湿が行われたとは言え、第一の送風路を流れる室内空気は、高温で、加湿状態であったので、まだ湿気を含んだ状態となっており、この結果として、これが第一の吹出口から吹出されれば、室内で過乾燥状態を引き起こすことは無く（つまり適度の加湿作用の結果）、快適性を高めることができるものである。
【００５３】
これに対して、第三の送風路においては、前記吸気口から本体ケース内に吸込んだ室内空気を、ロータの吸湿部を通過させることで乾燥させ、これを第二の吹出口から本体ケース外に吹出す構成となっているので、この第二の吹出口から本体ケース外に吹出される乾燥空気を洗濯物に吹付ければ、室内干しの洗濯物は効果的に乾燥させることもできる。
【００５４】
つまり、本発明においては、室内干しの洗濯物を効果的に乾燥させるだけでなく、この乾燥時でも適度の室内湿度を保つことができるので、快適性も高めることができるものである。
【００５５】
このため、家庭用などの除湿機として、広く活用が期待されるものとなる。
【符号の説明】
【００５６】
１    本体ケース
２    窓
３    洗濯物
４    吸気口
５    吹出口
６    吹出口
７    送風ガイド
８    ヒータ
９    ロータ
９ａ  放湿部
９ｂ  吸湿部
１０  熱交換器
１１  結露水容器
１２，１３  送風機
１４  ダンパー
Ａ    第一の送風路
Ｂ    第二の送風路
Ｃ    第三の送風路
Ｄ    第四の送風路
【図１】
0005397235.tif 000002
【図２】
0005397235.tif 000003
【図３】
0005397235.tif 000004
【図４】
0005397235.tif 000005
【図５】
0005397235.tif 000006
【図６】
0005397235.tif 000007
【図７】
0005397235.tif 000008
【図８】
0005397235.tif 000009